(57)【特許請求の範囲】
【請求項１】
送風機を支持し壁に固定する本体枠と、電池を内蔵し点灯部を備えた照明装置と、前記本体枠に固定され通気部を有する前面カバーと、前記送風機に電源が通電されているか否かを検出する停電検出手段と、電源が通電されていないときに前記点灯部を点灯させる停電点灯手段を備え、前記照明装置は、点灯部が外部から視認されるよう、前記本体枠もしくは前面カバーに着脱自在に備え、前記本体枠は、前記壁に対し左右回転自在に固定可能としたことを特徴とする照明装置付換気扇
【請求項２】
照明装置が前面カバーもしくは本体枠と分離されたときに、点灯部を点灯させる分離点灯手段を備えた請求項１記載の照明装置付換気扇。
【請求項３】
リレースイッチのリレーを電源に接続して停電検出手段を構成し、前記リレースイッチの接点を点灯部に接続し、前記リレーにより駆動される停電点灯手段を構成した請求項１〜２いずれか１項記載の照明装置付換気扇。
【請求項４】
照明装置と前面カバーもしくは本体枠との分離される面にマイクロスイッチの可動片を備え、前記マイクロスイッチの接点を点灯部に接続し、前記マイクロスイッチにより駆動される分離点灯手段を構成した請求項１〜３いずれか1項記載の照明装置付換気扇。  
【請求項５】
照明装置は、本体枠の取り付けられた面に対し概鉛直方向、もしくは概水平方向に取り外せる請求項１〜４いずれか1項記載の照明装置付換気扇。  
【請求項６】
点灯部は、前面カバー外面もしくは照明装置外面のどちらかのいずれかひとつ以上の面方向に点灯させる請求項１〜５いずれか１項記載の照明装置付換気扇。
【発明の詳細な説明】
【技術分野】
【０００１】
この発明は、２４時間運転を行う小型で低風量の換気扇に、照明装置を備えた照明装置付換気扇に関するものである。
【背景技術】
【０００２】
近年、住宅の省エネ、や快適性の向上などの要求により、高気密・高断熱住宅が普及され、特に住宅の高気密化にともない、揮発性化学物質やホルムアルデヒドによるシックハウス症候群などの健康障害も顕在化している。このため、建築基準法の計画換気の施策などにより、２４時間運転を行う小型で低風量の換気扇が普及している。しかしながら、上記のような換気扇において、運転状態を表示するランプ等備えたものはなく、また低風量により運転音も小さいため、送風機の停止状態に気がつかないという問題があった。こうした中で、送風装置と照明装置を備えた機器のように筒状送風機を支持体にて設置し、その周囲に環状照明装置枠体を送風装置にねじ込んで固定する、照明装置を備えた換気扇が提案されている。（例えば特許文献１参照）
【０００３】
【特許文献１】特開昭５９-７８３５号公報（第１頁〜第３頁、第２図）
【発明の開示】
【発明が解決しようとする課題】
【０００４】
従来の照明装置を備えた換気扇では、換気扇の送風機が運転されない停電時などに点灯させる機能についての言及はなく、換気扇の送風機に電源が通電されず送風機が運転されていない状態がわかりにくいという問題があった。また、電源系統のトラブルによって停電した場合は電源が通電されないため、照明装置も点灯できないという問題があった。
【０００５】
この発明は上記のような問題点を解決するためになされたもので、換気扇の送風機が、停電時のように電源が通電されずに運転されていない状態を、照明装置に内蔵された電池により点灯部を点灯させることで使用者に知らせることを目的とするものである。また、夜間の停電などの非常時に非常用の灯りを確保するものである。
【課題を解決するための手段】
【０００６】
この発明に関わる照明装置付換気扇では、送風機を支持し壁に固定する本体枠と、電池を内蔵し点灯部を備えた照明装置を備え、電源が通電されているか否かを検出する停電検出手段と、電源が通電されていないときに照明装置の点灯部を点灯させる停電点灯手段を備え、照明装置は点灯部が外部から視認されるよう、前面カバーもしくは本体枠に着脱自在に備え、本体枠は壁に対し左右回転自在に固定可能としたものである。
【発明の効果】
【０００７】
この発明は、電池を内蔵し、点灯部を備えた照明装置が備えられており、換気扇の送風機に電源が通電されず運転されていない状態を、照明装置の点灯部を点灯させることにより、使用者に異常を知らせることが可能である。また、夜間の停電などの非常時に非常用の灯りが確保できるものである。
【発明を実施するための最良の形態】
【０００８】
実施の形態１
図１は、この発明の実施の形態１における照明装置付換気扇の斜視図である。例えば図１では壁付けの換気扇を表している。
図１に示されるように、換気扇１は、内部には図示されていないが、送風用羽根およびモータからなる送風機と、この送風機を支持し壁などに固定される本体枠が備わっている。また、この本体枠の前に設けられ、本体枠に固定される前面カバー１ａにより構成される。なお、前面カバー１ａには、送風機に対応する位置に格子状の通気部１ｂが備えられている。この前面カバー１ａの通気部１ｂの下側には、照明装置２を備え、前面カバー１ａの前面、側面と、照明装置２の前面、側面とがほぼ平滑につながるよう構成される。照明装置２の片側には、例えば白熱電球などにより構成された点灯部３が備えられる。また、この点灯部３は照明装置２の前面に透明な樹脂などの透光性の材料で覆われた点灯窓３ａを有する。また、照明装置２には、図示はされていないが、内部にランプ３Ｌと電池７が内蔵されている。
【０００９】
図２は、この発明の実施の形態１における照明装置付換気扇の概略の回路図であり、換気扇１の回路部分１Ａと、照明装置２の回路部分２Ａとからなる。
図２に示されるように、換気扇１の回路１Ａの４は住宅用の電源を表し、例えば交流１００Ｖが換気扇１に内蔵されたモータ５に接続されており、通電時においてモータ５が回転し送風されるものである。また、停電状態を検出する手段として例えばリレー６を用いており、電源４がリレー６にも接続され、通電時においてはこのリレー６もＯＮ状態となる。なお、この種の換気扇１は２４時間運転を行うため、常に交流１００Ｖがモータ５に通電され、同様にリレー６にも通電されている。一方、照明措置２の回路部分２Ａは、点灯部３にランプ３Ｌが備えられ、内蔵された電池７とで構成される。また、ランプ３Ｌは、電池７と換気扇１の回路部分１Ａの中にあるリレー６の接点６ａ、６ｂを介し直列に接続されている。
【００１０】
次に図２の回路図を用い詳細な動作について説明する。
換気扇１の回路部分１Ａのリレー６の接点６ａ、６ｂはリレー６のＢ接点で接続されており、リレー６のＯＮ状態ではリレー６の接点６ａ、６ｂは開路し、リレー６のＯＦＦ状態ではリレー６の接点６ａ、６ｂは閉路される。これにより、電源４がリレー６に通電されている場合では、リレー６はＯＮ状態となりリレー６の接点６a、６ｂ間は開路され、照明装置２の回路部分２Ａの電池７の電源はランプ３Ｌには通電されない。また、停電時などで、リレー６に電源が通電されない場合は、リレー６がＯＦＦ状態となりリレー６の接点６ａ、６ｂ間は閉路され、ランプ３Ｌには電池７の電源が通電され、点灯されることとなる。なお、上記のように、常にモータ５とリレー６には電源４が通電されており、常時モータ５は運転し、リレー６はＯＮ状態を維持している。以上の構成より、モータ５の通電時においては、モータ５と並列に接続されたリレー６もＯＮ状態となりリレー６の接点６ａ、６ｂを介してランプ３Ｌは消灯された状態となる。またモータ５に電源が供給されない停電時には、モータ５と並列に接続されたリレー６もＯＦＦ状態となり、ランプ３Ｌはリレー６の接点６ａ、６ｂを介して点灯されることとなる。
【００１１】
このように構成された、この発明の実施の形態１では、モータ５に電源が通電されない停電時において、ランプ３Ｌを点灯させることができ、モータ５が運転されていない状態を使用者に知らせることができるものである。また、災害時の停電などでも点灯することから、一般の住宅において非常灯や保安灯を専用に設けることなく、停電時の夜間の非常灯として応用することも可能である。
【００１２】
なお、この発明の実施の形態１は、照明装置２を換気扇１に備え一体となったものを提案しているが、換気扇１とは別に照明装置２を設置する別置型も可能である。またこの場合、図２に示されるリレー６を用いた回路構成は、換気扇１もしくは照明装置２に備えるか、または設置時の電気配線工事にて備えることも可能である。
【００１３】
実施の形態２
図３は、この発明の実施の形態２における照明装置付換気扇の斜視図である。また図４は、この発明の実施の形態２における照明装置付換気扇の概略の回路図である。なお、実施の形態１と同一の構成には、同一の符号を付しており、説明を省略する。
図３に示されるように換気扇１の前面カバー1ａの下面には突起８ａが所定の間隔を介し２箇所設置されている。この突起８ａは、逆Ｔ字状の凸形状で形成されている。一方、照明装置２の上面には溝部９ａが、前面カバー１ａの突起８ａに対応した位置で２箇所設けられる。この溝部９ａは、前面カバー１ａの突起８ａと嵌合されるよう、逆Ｔ字状の凹形状で形成される。また前面カバー１ａの突起８ａの内側に２箇所の引掛け爪８ｂが備えられ、照明装置２には、引掛け爪８ｂに対応する位置に引掛け爪８ｂが嵌合する引掛け穴９ｂが設けられる。よって、前面カバー1ａと照明装置２はこの突起８ａと溝部９ａを介してスライドし、引掛け爪８ｂと引掛け穴９ｂが嵌合することにより、着脱自在に固設される。図３では、照明装置２は換気扇１の前面カバー1aと分離された状態を表している。
【００１４】
また、図５は前面カバー１a と照明装置２の電気接続部の概略を示す部分断面図である。
前面カバー１ａの下面には２箇所の突起８ａより内側に、２箇所の換気扇側の接点１０ａ、１０ｂが図５の（ａ）に示すように備えられる。一方、この換気扇側の接点１０ａ、１０ｂに対応した位置で照明装置側の接点１１ａ、１１ｂが図５の（ｂ）に示すように備えられる。なお、この換気扇側の接点１０ａ、１０ｂと、照明装置側の接点１１ａ、１１ｂは、図５に示されるように導電性の板バネなどで構成される。
図４の回路図に示すように、換気扇１の回路部分１Ａのリレー６の接点６ａは前面カバー1ａの換気扇側の接点１０ａを介し、照明装置２の回路部分２Ａの照明装置側の接点１１ａに接続され、同様にリレー６の接点６ｂは、前面カバー１ａの換気扇側の接点１０ｂを介し、照明装置側の接点１１ｂに接続される。
【００１５】
図６は、この発明の実施の形態２に係る照明装置２に設けられた分離点灯手段の概略を示す部分断面図である。
図６に示されるように、例えばマイクロスイッチ１２を用いて、照明装置２と前面カバー１ａとの分離状態を検出している。このマイクロスイッチ１２は、レバー部１２ｃが照明装置２の上面より突出された状態になっており、照明装置２が前面カバー１ａの下部に固設された状態においては、レバー部１２ｃが下方に押し下げられマイクロスイッチ１２がＯＮ状態となる。また、照明装置２が前面カバー１ａと分離された状態においては、レバー部１２ｃが元に復帰しマイクロスイッチ１２はＯＦＦ状態となるよう備えられている。このマイクロスイッチ１２の接点１２ａ、１２ｂは、図４の回路図に示すように照明装置側の接点１１ａがマイクロスイッチ１２の接点１２ａと、照明装置側の接点１１ｂがマイクロスイッチ１２の接点１２ｂとそれぞれに並列に接続されている。また、このマイクロスイッチ１２の接点１２ａ、１２ｂはマイクロスイッチのＢ接点を用い接続されており、マイクロスイッチ１２のＯＮ状態ではマイクロスイッチ１２の接点１２ａ、１２ｂは開路され、マイクロスイッチ１２がＯＦＦ状態ではマイクロスイッチ１２の接点１２ａ、１２ｂは閉路されるものである。
【００１６】
次に図４の回路図を用い詳細な動作について説明する。
リレー６の接点６ａ、６ｂはリレー６のＢ接点で接続されており、リレー６のＯＮ状態ではリレー６の接点６ａ、６ｂは開路し、リレー６のＯＦＦ状態ではリレー６の接点６ａ、６ｂは閉路される。また、換気扇１と照明装置２が固設された状態では、換気扇側の接点１０ａ、１０ｂと照明装置側の接点１１ａ、１１ｂはそれぞれ、リレー６の接点６ａ―換気扇側の接点１０ａ―照明装置側の接点１１ａと、リレー６の接点６ｂ―換気扇側の接点１０ｂ―照明装置側の接点１１ｂが接続されている。これにより電源４がリレー６に通電されている場合、リレー６はＯＮ状態となり、リレー６の接点６a、６ｂ間は開路され、同様に照明装置側の接点１１ａ、１１ｂも開路された状態となる。よって、電池７の電源はランプ３Ｌには通電されない。また、停電時などで、リレー６に電源が通電されない場合では、リレー６がＯＦＦ状態となり、リレー６の接点６ａ、６ｂ間は閉路され、同様に照明装置側の接点１１ａ、１１ｂは閉路される。よって、ランプ３Ｌは電池７の電源が通電され点灯されることとなる。
【００１７】
また、換気扇１と照明装置２が分離された状態では、照明装置側の接点１１ａ、１１ｂは前面カバー1ａに備えられた、換気扇側の接点１０ａ，１０ｂと離され開路される。一方、照明装置２の分離点灯手段として設けたマイクロスイッチ１２はＯＦＦ状態となり、マイクロスイッチ１２の接点１２ａ、１２ｂを閉路する。これにより、電源４の通電、停電に関わらず、換気扇１と照明装置２が分離された状態では、照明装置２の回路部分２Ａの電池７がマイクロスイッチ１２の接点１２ａ、１２ｂを介してランプ３Ｌに通電され点灯させる。
【００１８】
以上のように構成された、この発明の実施の形態２では実施の形態１と同様に、停電時などの場合にモータ５が運転されていないことを使用者に知らせることができるものである。また、照明装置２が換気扇１と着脱可能であることから、停電時の換気扇１の点検、特に夜間や、天井裏・床下などの暗所の点検に照明装置２を取り外して活用できるものである。
【００１９】
また、着脱手段として前面カバー１ａに突起８ａ、引掛け爪８ｂと、照明装置２に溝部９ａ、引掛け穴９ｂを備えたが、前面カバー１ａに溝部９ａ、引掛け穴９ｂと、照明装置２に突起８ａ、引掛け爪８ｂを設けることも可能である。また、突起８ａ、溝部９ａの形状を逆Ｔ字状で構成したが、Ｌ字状などの形状でも同様の効果を得ることができる。
【００２０】
実施の形態３
図７、図８はこの発明の実施の形態３を示す照明装置２の上部に設けられた溝部９ａの部分図である。なお、実施の形態２と同一の構成には、同一の符号を付しており、説明を省略する。
図７に示すように、照明装置２の上部に備えられた、溝部９ａの奥側９ｃの角部を面取りし広げた形で形成したものである。
【００２１】
また、図７に示すように、照明装置２の上部に備えられた溝部９ａを照明装置２の表面まで設けることなく、図８に示すように途中の９ｄの箇所までとしたものである。また、この場合、図示はしていないが、前面カバー１ａに備えられた突起８ａの長さについても、前面カバー1ａの表面まで備えることなく、照明装置２の溝部９ｄに対応した長さとするものである。
【００２２】
以上のように構成された、この発明の実施の形態３についても、実施の形態２と同様の効果を得ることができる。また、照明装置２の上部に備えた溝部９ａを、前面カバー１ａの下部に備えた突起８ａに嵌合する場合、溝部９ａの奥側９ｃの両側が広がっており嵌め込みが容易である。さらに、照明装置２が前面カバー１ａに固設された状態では、前面カバー1ａの突起８ａと照明装置２の溝部９ａはともに、前面カバー1ａおよび照明装置２の表面に表れることなく、意匠性の向上が図れるものである。
【００２３】
実施の形態４
図９は、この発明の実施の形態４を示す前面カバー1ａと照明装置２の着脱手段の部分断面図である。なお、実施の形態２と同一の構成には、同一の符号を付しており、説明を省略する。
前面カバー１ａの奥側の下部には照明装置２を引掛けるための引掛け爪１３ａよりなる引掛け部１３が備えられる。一方、照明装置２の後面には前面カバー１ａに備えられた引掛け部１３の引掛け爪１３ａに対応する位置に、引掛け爪１３ａが嵌め込まれる穴部１３ｂを備える。また、照明装置２の上面には前面カバー１ａを引掛けるための引掛け部１４が備えられ、照明装置２の側面に備えられた引掛けツマミ１４ａに連動し前後にスライドする。一方、前面カバー１ａの下面には、照明装置２の上部に備えられた引掛け部１４に対応する位置に、引掛け部１４が嵌め込まれる穴部１４ｂを備える。
【００２４】
次に、以上のように構成された着脱手段について、この着脱の動作を詳細に説明する。
まず、照明装置２の後面に設けられた穴部１３ｂに、前面カバー１ａに備えた引掛け部１３の爪部１３ａを嵌め込む。次に、照明装置２の上面に設けられた引掛け部１４を前面カバー１ａの下面の穴部１４ｂに挿入する。照明装置２の引掛け部１４を挿入した後、照明装置２の側面に備えた引掛けツマミ１４ａを後方にスライドし、照明装置２を前面カバー１ａに固定する。なお、照明装置２を前面カバー１ａから取り外す際には、まず照明装置２の側面に備えた引掛け部１４の引掛けツマミ１４を前方にスライドさせる。次に、照明装置２の上面にある引掛け部１４を、前面カバー1ａの下面の穴部１４ｂより外し、照明装置２の後面にある穴部１３ｂより、前面カバー1ａの引掛け部１３の爪部１３ａを外す。
【００２５】
以上のように構成された、この発明の実施の形態４についても、実施の形態２と同様の効果を得ることができる。また、照明装置２と前面カバー１ａは、お互いの引掛け部１３および１４を介し固設されることから、固定状態が安定し、振動や衝撃により外れにくいという効果が得られる。なお、前面カバー1ａの引掛け部１３は前面カバー１ａの他に、換気扇１の本体枠等に備えることも可能である。
【００２６】
実施の形態５
図１０は、この発明の実施の形態５を示す照明装置付換気扇の部分斜視図である。なお、実施の形態１と同一の構成には、同一の符号を付しており、説明を省略する。
図１０に示されるように、点灯部３は照明装置２の前面の点灯窓３ａの他に下面の点灯窓３ｂ、側面の点灯窓３ｃを設ける。
【００２７】
このように構成された、この発明の実施の形態５についても、実施の形態１と同様の効果を得ることができる。また、点灯窓３ａ〜点灯窓３ｃを備えることにより、点灯部３の照射範囲を拡大することが可能となり、使用者からの視認性の向上が図れるものである。
【００２８】
実施の形態６
図１１、図１２はこの発明の実施の形態６を示す照明装置付換気扇の斜視図である。なお、実施の形態１と同一の構成には、同一の符号を付しており、説明を省略する。
図１１、図１２はともに、換気扇１の本体枠を壁に固定する場合に、その、取り付けられる角度を９０度左もしくは右に回転し壁に固定した状態を表している。
【００２９】
以上のように構成された、この発明の実施の形態６についても、実施の形態１と同様の効果を得ることができる。また、点灯部３の正面に家具などの障害物があっても点灯部３の位置を左右に調整することで、使用者からの視認性を向上させるものである。
【図面の簡単な説明】
【００３０】
【図１】この発明の実施の形態１を示す照明装置付換気扇の斜視図である。
【図２】この発明の実施の形態１を示す回路図である。
【図３】この発明の実施の形態２を示す照明装置付換気扇の斜視図である。
【図４】この発明の実施の形態２を示す回路図である。
【図５】この発明の実施の形態２を示す電気接続部の部分断面図である。
【図６】この発明の実施の形態２を示す分離点灯手段の概略の部分断面図である。
【図７】この発明の実施の形態３を示す溝部９ａの部分図である。
【図８】この発明の実施の形態３を示す溝部９ａの部分図である。
【図９】この発明の実施の形態４を示す着脱手段の部分断面図である。
【図１０】この発明の実施の形態５を示す照明装置付換気扇の部分斜視図である。
【図１１】この発明の実施の形態６を示す照明装置付換気扇の斜視図である。
【図１２】この発明の実施の形態６を示す照明装置付換気扇の斜視図である。
【符号の説明】
【００３１】
１  換気扇
１ａ  前面カバー
１ｂ  通気部
１Ａ  換気扇１の回路部分
２  照明装置
２Ａ  照明装置２の回路部分
３  点灯部
３a、3b、３ｃ  点灯窓
３Ｌ  ランプ
４  電源
５  モータ
６  リレー
６ａ、６ｂ  リレー６の接点  
７  電池
８ａ  突起
８ｂ  引掛け爪
９ａ  溝部
９ｂ  引掛け穴
９ｃ、９ｄ  溝部
１０ａ、１０ｂ  換気扇側の接点
１１a、１１b 照明装置側の接点
１２  マイクロスイッチ
１２ａ、１２ｂ  マイクロスイッチ１２の接点
１２ｃ  マイクロスイッチレバー部
１３  引掛け部
13a 引掛け爪、１３ｂ  穴部
１４  引掛け部
１４a  引掛けツマミ、１４ｂ  穴部
【図１】
0005151593.tif 000002
【図２】
0005151593.tif 000003
【図３】
0005151593.tif 000004
【図４】
0005151593.tif 000005
【図５】
0005151593.tif 000006
【図６】
0005151593.tif 000007
【図７】
0005151593.tif 000008
【図８】
0005151593.tif 000009
【図９】
0005151593.tif 000010
【図１０】
0005151593.tif 000011
【図１１】
0005151593.tif 000012
【図１２】
0005151593.tif 000013